(57)【要約】エレベータの多機能クロスヘッドは、エレベータのかご室の枠を形成する二つの垂直支持枠の上部先端に水平に配置される。クロスヘッドは、ドアヘッダー、ドアハンガーアセンブリ、ドア操作盤アセンブリおよび梁を支える。梁は、昇降路内でエレベータのかご室を上昇または下降させるためにエレベータシステムにおいてロープを巻き上げる滑車アセンブリを支える。
2007519588.tif 000002
【特許請求の範囲】
【請求項１】
エレベータのかご室を支えるエレベータスリングのための多機能クロスヘッドであって、前記クロスヘッドはヘッダーを備え、前記ヘッダーは、
ａ）一つまたはそれ以上のスライド可能なエレベータドアパネルを支えるためのドアハンガーアセンブリと、
ｂ）前記一つまたはそれ以上のエレベータドアパネルを、開放位置と閉鎖位置との間で操作するためのドア操作盤アセンブリと、
ｃ）前記エレベータのかご室をエレベータシステムのロープに接続するための接続箇所と
を備える、多機能クロスヘッド。
【請求項２】
前記接続箇所がヘッダーに取り付けられた梁を備え、前記梁は滑車アセンブリを取り付けるためのものである、請求項１に記載のクロスヘッド。
【請求項３】
前記ヘッダーが二つの支持枠の上端部に水平に配置され、前記支持枠は前記エレベータスリングの縦材を形成する、請求項１に記載のクロスヘッド。
【請求項４】
前記エレベータスリングが、スリングの基盤からクロスヘッドの筋向い部分へ伸びる対角線状のブレースをさらに備える、請求項１に記載のクロスヘッド。
【請求項５】
前記ドアハンガーが、回転アセンブリと、一つまたはそれ以上のドアパネルが横方向に摺動するトラックとを備える、請求項１に記載のクロスヘッド。
【請求項６】
前記ドア操作盤が、前記ドアパネルを開閉するための装置を駆動するモーターを備える、請求項１に記載のクロスヘッド。
【請求項７】
前記梁の片端が、実質的にエレベータのかご室の質量中心上に位置する、請求項２に記載のクロスヘッド。
【請求項８】
請求項１に記載のクロスヘッドを備えるエレベータシステム。
【発明の詳細な説明】
【技術分野】
【０００１】
本出願は、２００３年１月２８日に出願された米国特許出願番号第１０／３５３，１７３号の一部継続出願であり、その全体が参照されて本願に組み込まれる。
【０００２】
本発明は、エレベータシステムの分野を対象とする。より具体的には、本発明は、多機能エレベータクロスヘッドを形成する総合的なドアヘッダーを対象とする。
【背景技術】
【０００３】
エレベータシステムは通常、エレベータのかご室、エレベータのドア、およびかご室へのドアの開閉のためのドア操作盤を含む。従来型のロープ式エレベータシステムは図１にて概略的に示されている。
【０００４】
図１はスリング２０によって支えられているかご室１０を示す。かご室は多くの着床地点４０で止まる。かご室はスリング２０によって支えられているプラットフォーム４５で静止する。かご室１０は互いにかご室の反対側にある一対のガイドレール５０（その一方が示されている）によって導かれる。一対の滑車６０と６５は、かご室の上方で、一対の水平シャフト６３と６７に回転自在に取り付けられる。シャフトは頭上の支持梁によって支えられる（図示せず）。巻き上げロープ６９の片端は、エレベータのかご室の質量中心に対応するように、実質的にクロスヘッド２５の中間点に取り付けられる。そのロープのもう一方の片端は巻き上げ口のカウンターウェイトに取り付けられる（図示せず）。かご室は、滑車６０および６５の周りにかけ渡されて導かれるロープ６９により駆動される。
【０００５】
エレベータの引き戸あるいはパネル７０は通常、各ドアのパネルの上部に締め付けられる回転アセンブリ８５を備えるハンガー８０に懸架される。回転アセンブリ８５はドア７０の水平方向の摺動運動を許容し、ドア操作盤によって作動する。ドアハンガー８０が回転するトラック８７は、ドアハンガーアセンブリを形成する。
【０００６】
ドアヘッダー９０（一部断面図に表示）は、ドアハンガー８０と垂直の支柱または支持枠９５を支える枠の構造部品として機能する。従って、スリング２０、クロスメンバー２５、垂直支持枠９５およびドアヘッダー９０は別々にエレベータのかご室とその他の構成要素の構造を支える。これらの構成要素を持つロープ式水圧エレベータは米国特許第６，０８５，８７２号に図解されている。
【０００７】
エレベータのかご室における複数の重量支持要素および構造上の構成要素は、エレベータシステムに重量を追加する。エレベータの構造を簡素化する、またはかご室の重量を軽減するためにエレベータシステムを形成する個々の要素の数を削減することが望ましいであろう。
【発明の開示】
【課題を解決するための手段】
【０００８】
本発明は、スリング、クロスヘッド、およびドアヘッダーの機能が統合クロスヘッドに一体化された改良型エレベータシステムである。独創的なクロスヘッドが、エレベータのかご室に構造的統合を提供し、またドア操作盤およびドアハンガーに適切な位置を提供する。したがって、これらの構造上および機能上のエレベータ構成部品が、ドア付近一箇所にコンパクトに一体化して連結される。本クロスヘッドは、参照することによりここに組み込まれる、２００３年１月２８日に出願された同時係属の米国特許出願番号第１０／３５３，１７３号に記載された三角エレベータ支持構造（ｔｒｉａｎｇｕｌａｔｅｄ  ｅｌｅｖａｔｏｒ  ｓｕｐｐｏｒｔ  ｓｔｒｕｃｔｕｒｅ）と併せて使用可能である。
【発明を実施するための最良の形態】
【０００９】
本発明の実施例において、３機能を備えたクロスヘッドはエレベータのかご室のスリングを支える。本クロスヘッドは、かご室の入り口付近に位置する２つの垂直支持枠上部末端に水平に配置されたヘッダー部材を備えている。ヘッダーはまた、ひとつまたはそれ以上のエレベータドアを、開放位置と閉鎖位置との間で駆動するためのドア操作盤アセンブリを支える。クロスヘッドの一部は、エレベータのかご室をつり上げる接続箇所としての役割も果たす。例えば、滑車アセンブリを支えている梁は、ヘッダーに接続されることができる。梁の一方の端はヘッダーに接続され、他方の端は滑車アセンブリを備えるひとつまたはそれ以上の要素を含んでいる。滑車、梁、およびヘッダーは一体となって垂直方向に動く。
【００１０】
本発明の他の実施例では、３機能を備えたクロスヘッドは、２つの垂直支持枠の上端に水平方向に配置された部材を有する。エレベータ駆動ロープなどのエレベータ引張部材は、ヘッダーに固定される。
【００１１】
ここで図を参照して本発明の典型的な実施例を説明するが、同様の参照番号が同様の要素に対応している。「多機能クロスヘッド」および「３機能を備えたクロスヘッド」という表現は、両方とも本明細書中に記載される独創的クロスヘッドを指す。
【００１２】
図中では、新しいクロスヘッドは両引き戸を持ったものとして表示されている。しかし、いかなる種類の引き戸もこの発明には使用可能である、例えば、単速ドア、倍速ドア、片引き戸、または他のいかなる種類のスライドエレベータドアなどが使用可能である。さらに、ドアは両開きのエレベータドアでも良い。
【００１３】
図２は対角線状に設置されたスリング１００の一部として本発明の多機能クロスヘッド１５０を構成する発明の実施例を図示する。クロスヘッド１５０は二つの垂直支持枠１４０の上端に配置された横架材を有している（うち一つのみを図示）。クロスヘッド１５０はドアヘッダー、ドアハンガーアセンブリ１６０、ドア操作盤アセンブリ１７０、エレベータかご室１２０を鉛直方向に動かすための滑車アセンブリ１９９に連結された梁１８０を支えている。
【００１４】
スリング１００はエレベータのかご室１２０の反対側の二つの対角線状のブレース１０９から成る。（図中には一つのブレースのみ表示）。ブレース１０９の一つの端部１１０はプラットフォーム１１９の一部に固定されている。ブレース１０９のもう一方の端部１３０はクロスヘッド１５０の筋向いの部分に取り付けられている。支持枠１４０はかご室フレームの縦材を形成するかご室１２０の反対側のクロスヘッド１５０に固定されている。クロスヘッド１５０はドアヘッダーとしての役割を果たし、ドアハンガーアセンブリ１６０とドア操作盤１７０を支えている。
【００１５】
ドアパネル１７５はドアハンガーに懸架され、ドア操作盤１７０はエレベータドアを開放位置と閉鎖位置との間で駆動する。梁１８０の一つの端部はクロスヘッド１５０に取り付けられている。滑車アセンブリ１９９は梁１８０の第二の端部に取り付けられ、エレベータロープまたは引張部材１８５を駆動する。滑車アセンブリは、１９０、１９５のようにいくつかの滑車を備える。エレベータロープ１８５はカウンターウェイト（図示せず）と梁１８０に連結されている。駆動電動機はロープ１８５を動かすことにより、かご室１２０を上下に移動させる。
【００１６】
図３はクロスヘッドの典型的な実施例を図示したものである。クロスヘッド１５０は、ドアヘッダー、ドアハンガー１６０、ドア操作盤１７０の格納を含むいくつかの機能を果たす。エレベータドアまたはパネル１７５はドアハンガー１６０に懸架されている。ドアハンガー１６０はドアパネル１７５の上部に固定された回転アセンブリ２１５から成る。ハンガーロール上のトラック２１７は、ドアハンガー１６０の一部である。回転アセンブリ２１５は同クロスヘッド１５０に取り付けられているドア操作盤１７０により作動する。ドア操作盤１７０はドアパネル１７５の開閉のための駆動電動装置を含む。
【００１７】
クロスヘッドはまた、かご室をロープ１８５に取り付けるための接続の役割を果たす。クロスヘッド１５０はかご室１２０の反対側にある支持枠１４０に取り付けられている。支持枠１４０はエレベータかご室１２０を支えるフレームの縦材を形成する。対角線状のブレース１０９はかご室を支えるためのスリングの一部を形成する。かご室１２０はかご室１２０の反対側にある一対のガイドレール２１０により案内される。梁１８０の一つの端部は、クロスヘッド１５０上の安定点に固定され、エレベータロープ１８５は梁１８０のもう片方の端部に取り付けられる。ロープ１８５は滑車アセンブリ（通常１９９として図示）に巻きついている。滑車アセンブリは複数の回転滑車を備える。例えば滑車１９０および１９５はロープ１８５を介し、アセンブリの他の滑車と連動する。ロープ１８５は、滑車アセンブリ１９９、梁１８０、統合クロスヘッド１５０を移動させ、それにより同時にエレベータのかご室も鉛直方向に移動する。
【００１８】
本発明を特定の実施形態を参照して図示および説明したが、本発明の精神および範囲から逸脱せずに種々の形態および詳細の変更を行うことができることは、当業者には理解されよう。
【図面の簡単な説明】
【００１９】
【図１】ドアヘッダー、ドア操作盤およびクロスメンバーを有するスリングが別の要素として存在する従来のエレベータシステムを示す。
【図２】対向スリングが多機能クロスヘッドに接続された、本発明に基づくエレベータのかご室のシステムの実施例を示す。
【図３】本発明の典型的な実施例を図解したものである。
【符号の説明】
【００２０】
１００  スリング
１０９  ブレース
１１０  端部
１１９  プラットフォーム
１２０  エレベータかご室
１３０  端部
１４０  垂直支持枠
１５０  多機能クロスヘッド
１６０  ドアハンガーアセンブリ
１７０  ドア操作盤アセンブリ
１７５  ドアパネル
１８０  梁
１８５  エレベータロープ
１９０  滑車
１９５  滑車
１９９  滑車アセンブリ
【図１】
2007519588.tif 000003
【図２】
2007519588.tif 000004
【図３】
2007519588.tif 000005
【国際調査報告】
2007519588.tif 000006
2007519588.tif 000007